(57)【要約】【課題】被捺印面に対して印字がずれることなく鮮明に捺印できるスタンプセットを提供する。【解決手段】スタンプ基台１１と、一方の主面に印面１２１を有し、前記スタンプ基台１１の中央に固定された平板状の印判１２と、前記スタンプ基台１１の前記印判１２が固定された両側に着脱可能に設けられ、表面側に滑り止め面１３１を有する一対の滑り止め治具１３Ａ，１３Ｂと、を備える。【選択図】  図１Ｂ
0003208775.tif 000002
【実用新案登録請求の範囲】
【請求項１】
スタンプ基台と、
一方の主面に印面を有し、前記スタンプ基台の中央に固定された平板状の印判と、
前記スタンプ基台の前記印判が固定された両側に着脱可能に設けられ、表面側に滑り止め面を有する一対の滑り止め治具と、を備えるスタンプセット。
【請求項２】
前記一対の滑り止め治具は、接着剤、磁力又は凹凸嵌合により前記スタンプ基台に対して着脱可能に設けられている請求項１に記載のスタンプセット。
【請求項３】
樹脂フィルム、布、皮、樹脂板その他の各種クラフト製品の被捺印面に捺印する場合に、
前記一対の滑り止め治具を前記スタンプ基台から取り外した状態で、前記印判にインクを塗布し、
前記一対の滑り止め治具を前記スタンプ基台に取り付けた状態で、前記印判の印面を前記被捺印面に押し付ける請求項１又は２に記載のスタンプセット。
【考案の詳細な説明】
【技術分野】
【０００１】
本考案は、樹脂フィルム、布、皮、樹脂板など捺印時に滑り易い対象物に所望の印影を捺印するスタンプセットに関するものである。
【背景技術】
【０００２】
樹脂フィルム、布、皮、樹脂板といった、各種クラフト製品に使用する材料に所望の印影を捺印する要請がある。こうしたクラフト材料の被捺印面は、柔らかく形状が安定しなかったり、あるいは滑り易い材質であったりすることから、印字がずれたり、不均一となり鮮明に捺印することが困難である。このため、本件出願人らは、球体の表面に捺印するための印面を有するスタンプであって、印面が、太鼓橋状に中央が突出していることを特徴とするスタンプを先に提案した（特許文献１）。
【先行技術文献】
【特許文献】
【０００３】
【特許文献１】特開２００５−１４２５７号公報
【考案の概要】
【考案が解決しようとする課題】
【０００４】
しかしながら、上記従来のスタンプでは、捺印動作中にスタンプ本体に作用する捺印力の反作用モーメントがほぼ一定となるものの、捺印動作中に未乾燥のインキによってボールが滑り、印字がずれるという問題がある。
【０００５】
本考案が解決しようとする課題は、被捺印面に対して印字がずれることなく鮮明に捺印できるスタンプセットを提供することである。
【課題を解決するための手段】
【０００６】
本考案は、スタンプ基台と、一方の主面に印面を有し、前記スタンプ基台の中央に固定された平板状の印判と、前記スタンプ基台の前記印判が固定された両側に着脱可能に設けられ、表面側に滑り止め面を有する一対の滑り止め治具と、を備えるスタンプセットにより、上記課題を解決する。
【考案の効果】
【０００７】
本考案によれば、樹脂フィルム、布、皮、樹脂板その他の各種クラフト製品のような滑り易い被捺印面に印字を捺印する場合に、一対の滑り止め治具を前記スタンプ基台から取り外した状態で、印判にインクを塗布し、滑り止め面を有する一対の滑り止め治具をスタンプ基台に取り付けた状態で、印判の印面を被捺印面に押し付ける。これにより、捺印動作中に印面と被捺印面とが滑るのを防止でき、被捺印面に対して印字がずれることなく鮮明に捺印することができる。
【図面の簡単な説明】
【０００８】
【図１Ａ】本考案の一実施の形態に係るスタンプセットを示す斜視図である。
【図１Ｂ】図１ＡのIB-IB線に沿う断面図である。
【図２Ａ】本考案の他の実施の形態に係るスタンプセットを示す斜視図である。
【図２Ｂ】図２ＡのIIB-IIB線に沿う断面図である。
【図３Ａ】本考案のさらに他の実施の形態に係るスタンプセットを示す斜視図である。
【図３Ｂ】図３ＡのIIIB-IIIB線に沿う断面図である。
【図４Ａ】本考案のさらに他の実施の形態に係るスタンプセットを示す斜視図である。
【図４Ｂ】図４ＡのIVB-IVB線に沿う断面図である。
【考案を実施するための形態】
【０００９】
図１Ａは、本考案の一実施の形態に係るスタンプセットを示す斜視図、図１Ｂは、図１ＡのIB-IB線に沿う断面図である。本考案に係るスタンプセット１は、特に限定はされないが、例えば樹脂フィルム、布、皮、樹脂板その他の各種クラフト製品の表面に、所望の印影を捺印するための印章であり、図１Ａ及び図１Ｂに示すように、スタンプ基台１１と、一方の主面に印面１２１を有し、スタンプ基台１１の中央に固定された平板状の印判１２と、スタンプ基台１１の印判１２が固定された両側に着脱可能に設けられ、表面側に滑り止め面１３１を有する一対の滑り止め治具１３Ａ，１３Ｂと、を備える。
【００１０】
本考案に係るスタンプセット１を用いて捺印する印影は、特に限定されずあらゆる印影を捺印できるが、一例を挙げると、各種クラフト製品の所有者の氏名・名称・住所・電話番号などの固有識別子、各種クラフト製品の図形・模様である。
【００１１】
本例のスタンプセットを構成するスタンプ基台１１は、印判１２と一対の滑り止め治具１３Ａ，１３Ｂを一方の主面に保持するための部材であり、印判１２と一対の滑り止め治具１３Ａ，１３Ｂが保持される主面は平面状に形成され、他方の主面には、例えばスタンプを把持する取っ手１１１などが形成される。本例のスタンプ基台１１は、木材、樹脂、金属のいずれによっても構成されるが、軽量で安価な木材又は樹脂で構成することが望ましい。
【００１２】
本例のスタンプセット１を構成する印判１２は、一方の主面に、所望の印影を捺印するための印面１２１を有する方形状の平板で形成され、ゴムや樹脂などにより構成されている。印判１２は、スタンプ基台１１の中央に接着剤その他の固定手段により固定される。
【００１３】
なお限定はされないが、印判１２を、ポリエチレン、エチレン酢酸ビニル、ポリウレタン、ゴムなどの熱可塑性樹脂に発泡剤を添加して成形した連続気泡の多孔質性樹脂（連続発泡型熱可塑性樹脂）から構成し、この印面１２１に、ホルムアルデヒド樹脂、ベンジルアルコール、オクチルジフェニルフォスフェート、プロピレングリコールエーテル類、グリコールエーテル類及び染料を含む速乾性インキを含浸させることが好ましい。各種クラフト製品にはインキを吸収しない素材で構成されたものが少なくないが、こうした素材に対して常乾性インキを用いると、クラフト製品がインキによって滑るので、印字がずれたりする。本例では速乾性インキで捺印することで、印面１２１とクラフト製品との滑りを抑制でき、またクラフト製品の表面に捺印した印字が短時間で乾燥するので捺印後の取り扱い性も向上する。
【００１４】
本例のスタンプセット１を構成する滑り止め治具１３Ａ，１３Ｂは、ある程度の剛性を有する材料で、方形状の平板に形成され、その厚さは印判１２の厚さとほぼ同じ厚さとされている。滑り止め治具１３Ａ，１３Ｂの一方の主面、すなわち滑り止め治具１３Ａ，１３Ｂをスタンプ基台１１に装着した際に印面１２１と同じ側になる表面は、滑り止め面１３１とされている。この滑り止め面１３１は、滑り止め治具１３Ａ，１３Ｂの全体をクラフト製品などの被捺印面に対して摩擦力が大きい材料、例えばゴムやエラストマーで構成してもよいし、滑り止め治具１３Ａ，１３Ｂの表面に、クラフト製品などの被捺印面に対して摩擦力が大きい材料、例えばゴムやエラストマーで構成したシートを貼り付けてもよい。さらに被捺印面との摩擦力を増すために、滑り止め面１３１に凹凸模様を付してもよい。なお、滑り止め面１３１を構成する材料は、ゴムやエラストマーにのみ限定されず、被捺印面との摩擦力が大きい材質であれば木材や金属であってもよい。
【００１５】
本例の滑り止め治具１３Ａ，１３Ｂの裏面には両面テープ１３２が設けられ、一方、スタンプ基台１１側の装着面には、表面が平滑で接着剤に対する剥離が容易なフィルム１１２、例えばＯＨＰフィルムが貼り付けられている。これにより、滑り止め治具１３Ａ，１３Ｂは、両面テープ１３２の糊が残ることなく、スタンプ基台１１に対して容易に着脱することができる。
【００１６】
図１Ａ及び図１Ｂに示す滑り止め治具１３Ａ，１３Ｂは、スタンプ基台１１の印判１２が固定された両側に、両面テープ１３２により着脱可能に設けられているが、滑り止め治具１３Ａ，１３Ｂをスタンプ基台１１に対して着脱可能に設ける手段はこれに限定されない。例えば、図２Ａ及び図２Ｂに示す例では磁力を用い、図３Ａ及び図３Ｂに示す例では凹凸嵌合を用い、図４Ａ及び図４Ｂに示す例では凹凸嵌合のうちスライド嵌合を用いている。
【００１７】
図２Ａは、本考案の他の実施の形態に係るスタンプセット１を示す斜視図、図２Ｂは、図２ＡのIIB-IIB線に沿う断面図である。本例の滑り止め治具１３Ａ，１３Ｂの裏面にはマグネットシート１３３が貼り付けられ、一方、スタンプ基台１１側の装着面には、金属などの磁性体からなる磁性体シート１１３が貼り付けられている。これにより、滑り止め治具１３Ａ，１３Ｂは、スタンプ基台１１の印判１２が固定された両側に、磁力により着脱可能に設けられることになる。なお、スタンプ基台１１側の装着面にマグネットシート１３３を設け、滑り止め治具１３Ａ，１３Ｂの裏面に金属などの磁性体からなる磁性体シート１１３を設けてもよい。また、スタンプ基台１１自体を金属などの磁性体で構成し、滑り止め治具１３Ａ，１３Ｂの裏面にマグネットシート１３３を設けてもよい。
【００１８】
図３Ａは、本考案のさらに他の実施の形態に係るスタンプセットを示す斜視図、図３Ｂは、図３ＡのIIIB-IIIB線に沿う断面図である。本例の滑り止め治具１３Ａ，１３Ｂの裏面には２つの凸部１３４が形成され、一方、スタンプ基台１１側の装着面には、凸部１３４に嵌合する凹部１１４が形成されている。これにより、滑り止め治具１３Ａ，１３Ｂは、スタンプ基台１１の印判１２が固定された両側に、凹凸嵌合により着脱可能に設けられることになる。なお、スタンプ基台１１側の装着面に凸部を形成し、滑り止め治具１３Ａ，１３Ｂの裏面に凸部に嵌合する凹部を形成してもよい。また、滑り止め治具１３Ａ，１３Ｂの位置を固定するために、凸部１３４と凹部１１４は少なくとも２つ設ければよい。
【００１９】
図４Ａは、本考案のさらに他の実施の形態に係るスタンプセットを示す斜視図、図４Ｂは、図４ＡのIVB-IVB線に沿う断面図である。本例の滑り止め治具１３Ａ，１３Ｂの裏面には長手方向に延在する凸条部１３５が形成され、一方、スタンプ基台１１側の装着面には、凸条部１３５に嵌合する凹条部１１５が形成されている。これにより、滑り止め治具１３Ａ，１３Ｂは、スタンプ基台１１の印判１２が固定された両側に、凸条部１３５と凹条部１１５とのスライド嵌合（凹凸嵌合）により着脱可能に設けられることになる。なお、スタンプ基台１１側の装着面に凸条部を形成し、滑り止め治具１３Ａ，１３Ｂの裏面に凸条部に嵌合する凹条部を形成してもよい。また、凸条部１３５と凹条部１１５の長さは、必ずしもスタンプ基台１１の長手方向の全体に設ける必要はなく、滑り止め治具１３Ａ，１３Ｂの位置が安定する程度の長さであればよい。
【００２０】
次に、本考案のスタンプセット１を用いた捺印方法について説明する。
最初に、スタンプ基台１１から滑り止め治具１３Ａ，１３Ｂを取り外した状態で、印判１２の印面１２１にインキを付ける。滑り止め治具１３Ａ，１３Ｂにインキが付着するのを防止するためである。印判１２の印面１２１にインキを付けたら、スタンプ基台１１に滑り止め治具１３Ａ，１３Ｂを装着する。そして、このスタンプセット１を把持し、捺印対象物に印面１２１を押し当てる。これにより、被捺印面に印面１２１の全体が押し付けられ、被捺印面に目的とする印字が捺印される。この際に、被捺印面の両面が滑り止め治具１３Ａ，１３Ｂの表面側の滑り止め面１３１に押し付けられるので、被捺印面と滑り止め治具１３Ａ，１３Ｂとの位置ずれが防止される。その結果、被捺印面と印面１２１との間に未乾燥のインキが介在しても、被捺印面と印面１２１とが互いに滑ることはない。以上により、インキを吸収しない素材を用いた被捺印面であっても、被捺印面と印判１２とが相対的に滑ることにより印字がずれるのを防止することができる。
【符号の説明】
【００２１】
１…スタンプセット
１１…スタンプ基台
１１１…取っ手
１１２…フィルム
１１３…磁性体シート
１１４…凹部
１１５…凹条部
１２…印判
１２１…印面
１３Ａ，１３Ｂ…滑り止め治具
１３１…滑り止め面
１３２…両面テープ
１３３…マグネットシート
１３４…凸部
１３５…凸条部
【図１Ａ】
0003208775.tif 000003
【図１Ｂ】
0003208775.tif 000004
【図２Ａ】
0003208775.tif 000005
【図２Ｂ】
0003208775.tif 000006
【図３Ａ】
0003208775.tif 000007
【図３Ｂ】
0003208775.tif 000008
【図４Ａ】
0003208775.tif 000009
【図４Ｂ】
0003208775.tif 000010